(57)【要約】      （修正有）【課題】殺菌灯カバーを有する美容硬化用装置を提供する。【解決手段】本考案の殺菌灯カバーを有する美容硬化用装置１は、本体１０及び殺菌灯カバー２０を備える。本体１０は第一上蓋及び第二上蓋を含み、第二上蓋は収容溝を備えると共に第一上蓋に固定され、収容溝は第一上蓋の上蓋開口部に嵌合される。第二上蓋は枢着部を備える。殺菌灯カバー２０は、本体１０の第二上蓋の枢着部に枢着され、枢着部を支点として第二上蓋に対して軸方向に回転する殺菌灯上蓋と、殺菌灯上蓋に設置され、複数の第二光透過孔を含む殺菌灯下蓋と、殺菌灯上蓋と殺菌灯下蓋との間に設置される殺菌灯ライトボードと、を備える。【選択図】図１
0003220780.tif 000002
【実用新案登録請求の範囲】
【請求項１】
殺菌灯カバーを有する美容硬化用装置であって、
本体と、
殺菌灯カバーと、を備え、
前記本体は、
複数の壁面と、複数の第一光透過孔と、開口部と、を含み、前記壁面及び前記開口部により空間が形成される架台と、
前記架台の底部に着脱可能に設置される台座と、
２つの面を有すると共に前記架台に設置され、複数組の第一紫外線発光ダイオードモジュールを含む紫外線発光ダイオードプレートと、
上蓋開口部を含むと共に前記架台に固定され、前記美容硬化用装置の外ケースを構成する第一上蓋と、
前記上蓋開口部に嵌合される収容溝を含むと共に前記第一上蓋に固定され、枢着部を有する第二上蓋と、
前記第二上蓋に設置され、前記第一紫外線発光ダイオードモジュールの起動の制御に用いられる制御モジュールと、
前記架台に設置され、且つ外部電源に接続される充電ポートと、を備え、
前記殺菌灯カバーは、
前記本体の前記第二上蓋の前記枢着部に枢着され、前記枢着部を支点として前記第二上蓋に対して軸方向に回転する殺菌灯上蓋と、
前記殺菌灯上蓋に設置され、複数の第二光透過孔を含む殺菌灯下蓋と、
前記殺菌灯上蓋と前記殺菌灯下蓋との間に設置され、複数組の第二紫外線発光ダイオードモジュールを含む殺菌灯ライトボードと、を備え、
前記第一紫外線発光ダイオードモジュールのそれぞれは、前記紫外線発光ダイオードプレートの一面に設置されると共に、複数の第一紫外線ＬＥＤを有し、起動時に前記第一紫外線ＬＥＤの発する紫外線が前記第一光透過孔を透過することにより前記空間を照射し、
前記第二紫外線発光ダイオードモジュールのそれぞれは、複数の第二紫外線ＬＥＤを有し、起動時に前記第二紫外線ＬＥＤの発する紫外線が前記殺菌灯下蓋の前記第二光透過孔を透過することにより前記第二上蓋の前記収容溝を照射し、
前記殺菌灯カバーの前記殺菌灯上蓋は第一係合構造を更に備え、前記殺菌灯上蓋は前記第一係合構造と前記第二上蓋の第二係合構造との係合により、前記第二上蓋の前記収容溝が密着されることを特徴とする殺菌灯カバーを有する美容硬化用装置。
【請求項２】
前記第一係合構造及び前記第二係合構造は磁気吸着係合構造であり、前記殺菌灯上蓋は自身の前記磁気吸着係合構造により前記第二上蓋の前記磁気吸着係合構造に磁気吸着的に係合されることを特徴とする請求項１に記載の殺菌灯カバーを有する美容硬化用装置。
【請求項３】
前記第一係合構造及び前記第二係合構造はラッチ係合構造であり、前記殺菌灯上蓋は自身の前記ラッチ係合構造により前記第二上蓋の前記ラッチ係合構造に係合されることを特徴とする請求項１に記載の殺菌灯カバーを有する美容硬化用装置。
【請求項４】
前記殺菌灯上蓋はシリコンクッションを更に備えることを特徴とする請求項１に記載の殺菌灯カバーを有する美容硬化用装置。
【請求項５】
前記台座は少なくとも１つの磁気吸着式構造を備え、前記台座は前記少なくとも１つの磁気吸着構造により前記架台に着脱可能に設置されることを特徴とする請求項１に記載の殺菌灯カバーを有する美容硬化用装置。
【請求項６】
前記制御モジュールは、異なる設定時間モードをそれぞれ起動することが可能な複数の起動ボタンを更に備えることを特徴とする請求項１に記載の殺菌灯カバーを有する美容硬化用装置。
【請求項７】
前記制御モジュールは、前記第一紫外線発光ダイオードモジュールのそれぞれの前記第一紫外線ＬＥＤの発光強度の制御を行うための光強度調整モジュールを更に備えることを特徴とする請求項１に記載の殺菌灯カバーを有する美容硬化用装置。
【請求項８】
前記制御モジュールは前記第一紫外線ＬＥＤの光の強度及び光の波長が表示されるディスプレイを更に備えることを特徴とする請求項１に記載の殺菌灯カバーを有する美容硬化用装置。
【請求項９】
前記第二上蓋は半透光性材質であり、前記ディスプレイが起動時に半透光性の前記第二上蓋を通して前記ディスプレイに表示される情報が見られることを特徴とする請求項８に記載の殺菌灯カバーを有する美容硬化用装置。
【請求項１０】
前記第二上蓋の前記収容溝には、外部装置を前記美容硬化用装置に電気的に接続する又は外部電源装置を前記美容硬化用装置に電気的に接続するための少なくとも１つのＵＳＢ(Universal Serial Bus)接続ポートを更に備えることを特徴とする請求項１に記載の殺菌灯カバーを有する美容硬化用装置。 
【考案の詳細な説明】
【技術分野】
【０００１】
本考案は、光硬化装置に関し、更に詳しくは、紫外線発光ダイオードによる人体の爪に対する硬化作用を利用し、人体の指の爪及び足の爪に塗布される液体ジェルを凝固させる効果に関する。
【背景技術】
【０００２】
ネイルアート分野においては、手や足の爪に塗布されるＵＶ液体ジェルに紫外線光源を照射させる技術が常用されている。例えば、ネイルサロンでは手や足の爪専用の紫外線硬化装置が使用されている。その外観は逆Ｕ字形を呈し、指先を開口箇所に置いて指（足）の爪への照射を行う。このような硬化装置を使用する前に、先に爪切り、ヤスリ、はさみ、ブラシ、棒ヤスリ等の各種ネイルアート道具を利用して顧客の爪を整えた後、顧客の整えられた爪に対してネイルアートを施す。
【０００３】
衛生面及び道具を清潔に保持すること考慮すると、顧客の爪を整える前に各種道具に対して消毒作業を行う必要がある。従来の技術では、通常まず消毒スペースで各種道具の消毒を行った後、消毒された道具を紫外線硬化装置の傍に持ってゆき、顧客の爪を整えてネイルアートを製作する。
【考案の概要】
【考案が解決しようとする課題】
【０００４】
しかしながら、前述した従来の技術では、ネイリストは道具を消毒するために消毒スペースと製作スペースとの間を行き来せねばならず、時間を浪費してしまう。
一方、ネイリストが外出して仕事をする場合、紫外線硬化装置を携帯せねばならない上、自分で各種ネイルアート道具を携帯せねばならない。このため、ネイリストは多くのキャリーバッグを用意して紫外線硬化装置及び各種ネイルアート道具を携帯せねばならず、ネイリストにとっては携帯が不便であったり、或いは各種ネイルアート道具を入れたキャリーバッグを準備した後に、これを携帯し忘れたまま外出してしまうこともある。
【０００５】
そこで、本考案者は上記の欠点が改善可能と考え、鋭意検討を重ねた結果、合理的設計で上記の課題を効果的に改善する本考案の提案に到った。
本考案はこうした状況に鑑みてなされたものであり、その目的は、殺菌灯カバーを有する美容硬化用装置を提供することにある。つまり、本考案の美容硬化用装置は収容溝を有する上蓋体を提供し、殺菌灯カバーは前記上蓋体の前記収容溝をカバーする。これにより、ネイリストは外出して仕事をする際に、各種ネイルアート道具を上蓋体の収容溝中に収容することができ、美容硬化用装置のみを携帯するだけでよい。また、殺菌灯カバーは収容溝に対して紫外線を直接照射して消毒作業を行う。
【課題を解決するための手段】
【０００６】
上記課題を解決する本考案は、殺菌灯カバーを有する美容硬化用装置であって、本体と、殺菌灯カバーと、を備え、前記本体は、複数の壁面と、複数の第一光透過孔と、開口部と、を含み、前記壁面及び前記開口部により空間が形成される架台と、前記架台の底部に着脱可能に設置される台座と、２つの面を有すると共に前記架台に設置され、複数組の第一紫外線発光ダイオードモジュールを含む紫外線発光ダイオードプレートと、上蓋開口部を含むと共に前記架台に固定され、前記美容硬化用装置の外ケースを構成する第一上蓋と、前記上蓋開口部に嵌合される収容溝を含むと共に前記第一上蓋に固定され、枢着部を有する第二上蓋と、前記第二上蓋に設置され、前記第一紫外線発光ダイオードモジュールの起動の制御に用いられる制御モジュールと、前記架台に設置され、且つ外部電源に接続される充電ポートと、を備え、前記殺菌灯カバーは、前記本体の前記第二上蓋の前記枢着部に枢着され、前記枢着部を支点として前記第二上蓋に対して軸方向に回転する殺菌灯上蓋と、前記殺菌灯上蓋に設置され、複数の第二光透過孔を含む殺菌灯下蓋と、前記殺菌灯上蓋と前記殺菌灯下蓋との間に設置され、複数組の第二紫外線発光ダイオードモジュールを含む殺菌灯ライトボードと、を備え、前記第一紫外線発光ダイオードモジュールのそれぞれは、前記紫外線発光ダイオードプレートの一面に設置されると共に、複数の第一紫外線ＬＥＤを有し、起動時に前記第一紫外線ＬＥＤの発する紫外線が前記第一光透過孔を透過することにより前記空間を照射し、前記第二紫外線発光ダイオードモジュールのそれぞれは、複数の第二紫外線ＬＥＤを有し、起動時に前記第二紫外線ＬＥＤの発する紫外線が前記殺菌灯下蓋の前記第二光透過孔を透過することにより前記第二上蓋の前記収容溝を照射し、前記殺菌灯カバーの前記殺菌灯上蓋は第一係合構造を更に備え、前記殺菌灯上蓋は前記第一係合構造と前記第二上蓋の第二係合構造との係合により、前記第二上蓋の前記収容溝が密着されることを特徴とする殺菌灯カバーを有する美容硬化用装置。
【０００７】
好ましくは、前記第一係合構造及び前記第二係合構造は磁気吸着係合構造であり、前記殺菌灯上蓋は自身の前記磁気吸着係合構造により前記第二上蓋の前記磁気吸着係合構造に磁気吸着的に係合される。
【０００８】
好ましくは、前記第一係合構造及び前記第二係合構造はラッチ係合構造であり、前記殺菌灯上蓋は自身の前記ラッチ係合構造により前記第二上蓋の前記ラッチ係合構造に係合される。
【０００９】
好ましくは、前記殺菌灯上蓋はシリコンクッションを更に備える。
【００１０】
好ましくは、前記台座は少なくとも１つの磁気吸着式構造を備え、前記台座は前記少なくとも１つの磁気吸着構造により前記架台に着脱可能に設置される。
【００１１】
好ましくは、前記制御モジュールは、異なる設定時間モードをそれぞれ起動することが可能な複数の起動ボタンを更に備える。
【００１２】
好ましくは、前記制御モジュールは、前記第一紫外線発光ダイオードモジュールのそれぞれの前記第一紫外線ＬＥＤの発光強度の制御を行うための光強度調整モジュールを更に備える。
【００１３】
好ましくは、前記制御モジュールは前記第一紫外線ＬＥＤの光の強度及び光の波長が表示されるディスプレイを更に備える。
【００１４】
好ましくは、前記第二上蓋は半透光性材質であり、前記ディスプレイが起動時に半透光性の前記第二上蓋を通して前記ディスプレイに表示される情報が見られる。
【００１５】
好ましくは、前記第二上蓋の前記収容溝には、外部装置を前記美容硬化用装置に電気的に接続する又は外部電源装置を前記美容硬化用装置に電気的に接続するための少なくとも１つのＵＳＢ(Universal Serial Bus)接続ポートを更に備える。
【考案の効果】
【００１６】
本考案によると、ネイリストは外出して仕事をする際に、各種ネイルアート道具を上蓋体の収容溝中に収容することができ、美容硬化用装置のみを携帯するだけでよい。また、殺菌灯カバーは収容溝に対して紫外線を直接照射して消毒作業を行う。
【図面の簡単な説明】
【００１７】
【図１】本考案の好ましい実施形態に係る殺菌灯カバーを有する美容硬化用装置を説明する第一視角の斜視図である。
【図２】本考案の好ましい実施形態に係る殺菌灯カバーを有する美容硬化用装置を説明する第二視角の斜視図である。
【図３】本考案の好ましい実施形態に係る殺菌灯カバーを有する美容硬化用装置を説明する分解図である。
【図４】本考案の好ましい実施形態に係る殺菌灯カバーを有する美容硬化用装置の殺菌灯カバーの開蓋状態を説明する概略図である。
【図５】本考案の好ましい実施形態に係る殺菌灯カバーを有する美容硬化用装置の収容溝の内部構成を説明する概略図である。
【図６】本考案の他の実施形態に係る殺菌灯カバーを有する美容硬化用装置を説明する斜視図である。
【考案を実施するための形態】
【００１８】
以下、本考案の実施形態について図面を用いて説明する。なお、本考案は、下記の実施形態に何ら限定されることはなく、本考案の技術的範囲に属する限り種々の形態を採りうる。
【００１９】
図１は本考案の好ましい実施形態に係る殺菌灯カバーを有する美容硬化用装置を説明する第一視角の斜視図であり、図２は本考案の好ましい実施形態に係る殺菌灯カバーを有する美容硬化用装置を説明する第二視角の斜視図である。図１、２に示されるように、本考案に係る殺菌灯カバーを有する美容硬化用装置１は主に本体１０及び殺菌灯カバー２０を備える。本体１０にはグリップ部３０及び充電ポート１１３が設けられる。本考案の好ましい実施形態に係る殺菌灯カバーを有する美容硬化用装置１は、殺菌灯カバー２０が本体１０に対して軸方向に回転することにより、使用者が殺菌灯カバー２０を開けるようにする。また、本体１０に設置されるグリップ部３０を手で持つことで、本体１０を持って移動することができる。殺菌灯カバーを有する美容硬化用装置１は充電ポート１１３を介して外部電源（図示せず）に接続される。以下、まず本体１０及び殺菌灯カバー２０の詳細な構造についてそれぞれ説明する。
【００２０】
図３は本考案の好ましい実施形態に係る殺菌灯カバーを有する美容硬化用装置を説明する分解図である。図１〜図３に示されるように、本考案の好ましい実施形態において、本体１０は主に架台１０１と、台座１０３と、紫外線発光ダイオードプレート１０５と、第一上蓋１０７と、第二上蓋１０９と、制御モジュール１１１と、充電ポート１１３と、を備える（図２参照）。
【００２１】
架台１０１は複数の壁面と、複数の第一光透過孔１０１１と、開口部と、を備える。複数の第一光透過孔１０１１は前記壁面に設置され、前記壁面及び開口部により空間１０１３が形成される。台座１０３は架台１０１の底部に着脱可能に設置され、且つ台座１０３は複数のガスケット１０３１及び複数の脚部１０３３を含む。紫外線発光ダイオードプレート１０５は２つの面を有すると共に架台１０１に設置され、紫外線発光ダイオードプレート１０５は複数組の第一紫外線発光ダイオードモジュールを具備し、前記第一紫外線発光ダイオードモジュールは紫外線発光ダイオードプレート１０５の一面に設置される。前記第一紫外線発光ダイオードモジュールのそれぞれは複数の第一紫外線ＬＥＤを有し、前記第一紫外線発光ダイオードモジュールの起動時には前記第一紫外線ＬＥＤの発する紫外線が第一光透過孔１０１１を透過することにより空間１０１３を照射する。また、本考案の好ましい実施形態において、前記第一紫外線発光ダイオードモジュールのそれぞれは異なる２つの波長範囲の第一紫外線ＬＥＤを少なくとも備える。また、本考案の好ましい実施形態において、第一紫外線ＬＥＤのレンズ（図示せず）は集光効果を発生させるように角度がつけられており、出射される紫外線が更に集中する。
【００２２】
第一上蓋１０７は上蓋開口部１０７１を備えると共に架台１０１に固定され、且つ第一上蓋１０７により殺菌灯カバーを有する美容硬化用装置１の外ケースが構成される。第二上蓋１０９は収容溝１０９１を含むと共に第一上蓋１０７に固定され、収容溝１０９１が上蓋開口部１０７１に嵌合される。第二上蓋１０９は枢着部１０９３を具備する。
【００２３】
制御モジュール１１１はロックまたは他の連結固定方式で第二上蓋１０９に設置され、前記第一紫外線発光ダイオードモジュールの起動の制御に用いられる。充電ポート１１３は架台１０１に設置されると共に外部電源に接続される。
【００２４】
殺菌灯カバー２０は殺菌灯上蓋２０１と、殺菌灯下蓋２０３と、殺菌灯ライトボード２０５と、を備える。殺菌灯上蓋２０１は本体１０の第二上蓋１０９の枢着部１０９３に枢着され、殺菌灯蓋上蓋２０１は枢着部１０９３を支点として第二上蓋１０９に対し軸方向に回転する。即ち、使用者は殺菌灯上蓋２０１を開閉することで、物品を収容溝１０９１中に収容するか収容溝１０９１から物品を取り出すことができる。
【００２５】
殺菌灯下蓋２０３は殺菌灯上蓋２０１に設置され、且つ殺菌灯下蓋２０３は複数の第二光透過孔２０３１を備える。殺菌灯ライトボード２０５は殺菌灯上蓋２０１と殺菌灯下蓋２０３との間に設置され、殺菌灯ライトボード２０５は複数組の第二紫外線発光ダイオードモジュールを含み、前記第二紫外線発光ダイオードモジュールのそれぞれは複数の第二紫外線ＬＥＤを有する。前記第二紫外線発光ダイオードモジュールは起動時に前記第二紫外線ＬＥＤの発する紫外線が殺菌灯下蓋２０３の第二光透過孔２０３１を透過することにより第二上蓋１０９の収容溝１０９１を照射する。
【００２６】
殺菌灯カバー２０の殺菌灯上蓋２０１は係合構造（図示せず）を更に備える。殺菌灯上蓋２０１は前記係合構造と第二上蓋１０９の係合構造１０９５との係合により、第二上蓋１０９の収容溝１０９１が密着される。まず、殺菌灯カバー２０と第二上蓋１０９との間の係合構造について説明する。
【００２７】
図４は本考案の好ましい実施形態に係る殺菌灯カバーを有する美容硬化用装置の殺菌灯カバーの開蓋状態を説明する概略図である。図１〜図４に示されるように、本考案の好ましい実施形態において、殺菌灯カバー２０の殺菌灯上蓋２０１は本体１０の第二上蓋１０９の枢着部１０９３に枢着され、殺菌灯蓋上蓋２０１は枢着部１０９３を支点として第二上蓋１０９に対し軸方向に回転することにより、使用者が殺菌灯カバー２０を開閉可能にする。本考案の一実施形態において、殺菌灯上蓋２０１の前記係合構造は磁気吸着係合構造であり、且つ第二上蓋１０９の係合構造１０９５も磁気吸着係合構造である。このため、殺菌灯上蓋２０１は自身の前記磁気吸着係合構造により第二上蓋１０９の前記磁気吸着係合構造に磁気吸着的に係合される。本考案の他の実施形態においては、殺菌灯上蓋２０１の前記係合構造がラッチ係合構造であり、且つ第二上蓋１０９の係合構造１０９５もラッチ係合構造である。これにより、殺菌灯上蓋２０１は自身の前記ラッチ係合構造により第二上蓋１０９の前記ラッチ係合構造に係合される。また、使用者は本体１０に設置される起動ボタン１１１１を押すことで殺菌灯上蓋２０１と第二上蓋１０９との間で係合されているラッチを解放し、殺菌灯カバー２０を開くことができる。このラッチ構造の設置例として、市場に出回る従来の炊飯ジャーのバルブ構造を参照する。
【００２８】
図３及び図４に戻って、制御モジュール１０９は紫外線発光ダイオードプレート１０５の前記第一紫外線発光ダイオードモジュールの起動の制御に用いられる。本考案の好ましい実施形態において、制御モジュール１１１はディスプレイ（図示せず）、ブザー（図示せず）、及び複数の起動ボタン１１１１に更に電気的に接続される。第二上蓋１０９は半透光性材質であり、前記ディスプレイは起動時に半透光性の第二上蓋１０９を通して前記ディスプレイに表示される情報が見られる。また、起動ボタン１１１１としては第一紫外線発光ダイオードモジュールを起動可能な各種の部材、例えば、タッチスクリーン、スイッチ等を適用できる。使用者は起動ボタン１１１１を使用して美容硬化用装置の操作を行う。例えば、何れか１つの起動ボタン１１１１を押すと、紫外線発光ダイオードプレート１０５の前記第一紫外線発光ダイオードモジュールが対応する時間作動し、且つ前記ディスプレイには作動時間の秒数のカウントダウンが表示される。詳細な操作モードについては以下で更に詳しく説明する。
【００２９】
本考案の好ましい実施形態において、複数の起動ボタン１１１１のうちの１つが提供する機能として、１〜２秒長押しすると制御モジュール１１１のセンサーが停止し、再度１〜２秒長押しすると再び起動するものがある。この機能は、付け爪を制作する際にセンサーを使用するのを嫌うネイリストがセンサーを切るために用いられる。また、本考案に係る美容硬化用装置は指示するための指示ランプを有し、またはディスプレイ上にセンサーのオン／オフ状態が表示される。
【００３０】
複数の起動ボタン１１１１のうちの１つが提供する機能として、１〜２秒長押しすることでブザーが停止し、再度１〜２秒長押しすると再び起動するものがある。この機能は、ネイリストが顧客にネイルアートを施す際に、静かな環境が必要な場合に用いられる。また、本考案に係る美容硬化用装置には指示するための指示ランプを有し、またはディスプレイ上にブザーのオン／オフ状態が表示される。
【００３１】
なお、複数の起動ボタン１１１１のうちの１つが提供する機能として、異なる第一紫外線ＬＥＤの発光強度を選択するものがある（制御モジュール１１１にインストールされたプログラムにより２種類以上の第一紫外線ＬＥＤの発光強度モードが設定される）。即ち、起動ボタン１１１１を光強度調整モジュールとする。この機能は、市場には様々なネイル用ジェルが溢れており、あるジェルでは強めのＬＥＤで硬化し、またあるジェルは弱めの光で硬化し、弱めの光で硬化するジェルに強い光を照射すると、過剰な照射を受けて脆化したり、ジェルが発熱して爪を傷付ける現象が発生するため、起動ボタン１１１１により強度を選択する機能を提供する。これにより、ネイリストが異なるジェルを使用しても上述の問題を避けることができる。また、本考案に係る美容硬化用装置のディスプレイ上には選択された光の強度が表示され、例えば強度１２Ｗ、強度１８Ｗ、強度２４Ｗ、強度３６Ｗ、強度４８Ｗ等が表示される。
【００３２】
複数の起動ボタン１１１１のうちの１つが提供する機能として、第一紫外線ＬＥＤの波長を変える、または全波長を一気に照射するかを選択する機能がある（制御モジュール１１１にインストールされるプログラムにより２種類以上のＬＥＤの波長モードを設定し、例えば３６５ｎｍ、３８０ｎｍ、または４０５ｎｍに設定する）。市場には多種多様なネイル用ジェルが溢れており、ある光硬化ジェルには３６５ｎｍの波長に合わせた光励起剤が調合され、他の光硬化ジェルでは３８０ｎｍや４０５ｎｍ等別の波長に合わせて調合されている。また、市販のある単一の波長に合わせたジェルに違う波長の紫外線を照射すると硬化が不完全になる問題が発生する。このため、この機能設計は、ネイリストが異なるジェルを使用する際に異なる波長の紫外線を選択して照射可能にすることによりジェルの完璧な硬化を達成させることを目的としている。また、本考案に係る美容硬化用装置のディスプレイ上には選択された波長、或いは全波長を一気に照射するかのオプションが表示される。
【００３３】
図５は本考案の好ましい実施形態に係る殺菌灯カバーを有する美容硬化用装置の収容溝の内部構成を説明する概略図である。図３及び図５に戻って、第二上蓋１０９の収容溝１０９１中には少なくとも１つのＵＳＢ（Universal Serial Bus）接続ポート１０９７を更に備える。少なくとも１つのＵＳＢ接続ポート１０９７は外部装置を本考案に係る美容硬化用装置に電気的に接続するために用いられ、これにより美容硬化用装置が前記外部装置に対して給電または充電可能になり、又は少なくとも１つのＵＳＢ接続ポート１０９７を介してポータブル電源等の外部電源装置を本考案に係る美容硬化用装置に電気的に接続し、美容硬化用装置に電源を供給するため用いられる。
【００３４】
外部装置はＵＳＢネイルアート用デスクライト、ＵＳＢネイルドリル、ＵＳＢハブ、ＵＳＢ空気清浄機、携帯電話、またはタブレット型端末のＵＳＢ充電装置等の関連製品であり、これにより、本考案に係る美容硬化用装置を使用すると同時に、ＵＳＢ接続ポート１０９７を介して外部装置の充電を行うこともでき、本考案の利便性及び実用性が大きく向上する。
【００３５】
また、図３及び図５を参照し、本考案の他の実施形態において、台座１０３は少なくとも１つの磁気吸着式構造（図示せず）を備える。台座１０３は前記少なくとも１つの磁気吸着式構造により架台１０１に着脱可能に設置される。これにより、足の爪に光を照射して光硬化を行う場合、使用者は本考案に係る美容硬化用装置を床の上に置くのみで、その後、台座１０３を架台１０１から分離し、使用者が足を架台１０１より構成される空間１０１３中に入れれば、照射部位が最適な照射位置に位置する。次いで、カウントダウンが始まり、カウントダウンが終了すると光硬化反応が完成する。また、台座１０３の少なくとも１つの磁気吸着式構造と磁気吸着により結合するため、架台１０１及び台座１０３の貼り合わせる部分は金属材質で製造されるか、架台１０１と台座１０３とが貼り合わせる部分には他の磁気吸着式構造が別途設置され、磁気により台座１０３に吸着される。
【００３６】
図６は本考案の他の実施形態に係る殺菌灯カバーを有する美容硬化用装置を説明する斜視図である。図３及び図６を参照し、本考案の他の実施形態において、殺菌灯カバー２０の殺菌灯上蓋２０１はシリコンクッション２０１１を更に備える。これにより、ネイリストが外出して仕事をする場合、顧客が手をシリコンクッション２０１１に載せるのみで、ネイリストが客の爪を整えることができ、顧客もシリコンクッション２０１１によって不快感を感じることがなくなる。
【００３７】
上述の内容から分かるように、本考案は殺菌灯カバーを有する美容硬化用装置を提供し、本考案に係る美容硬化用装置の本体は収容溝を備え、殺菌灯カバーは前記収容溝をカバーする。これにより、ネイリストが外出して仕事をする場合でも、各種ネイルアート道具を前記収容溝に収容すればよく、美容硬化用装置を携帯するのみでよい。また、殺菌灯カバーも前記収容溝に紫外線を直接照射することで消毒作業が行われる。なお、収容溝中には少なくとも１つのＵＳＢ接続ポートが設けられ、外部装置は少なくとも１つのＵＳＢ接続ポートを介して本考案に係る美容硬化用装置に接続され、又は本考案に係る美容硬化用装置が少なくとも１つのＵＳＢ接続ポートを介して外部給電装置に接続される。
【００３８】
以上、本考案の実施形態について図面を参照して詳述したが、具体的な構成はこの実施形態に限られるものではなく、本考案の要旨を逸脱しない範囲の設計変更等も含まれる。
【符号の説明】
【００３９】
１        殺菌灯カバーを有する美容硬化用装置
１０      本体
２０      殺菌灯カバー
３０      グリップ部
１０１    架台
１０３    台座
１０５    紫外線発光ダイオードプレート
１０７    第一上蓋
１０９    第二上蓋
１１１    制御モジュール
１１３    充電ポート
１０１１  第一光透過孔
１０１３  空間
１０３１  ガスケット
１０３３  脚部
１０７１  上蓋開口部
１０９１  収容溝
１０９３  枢着部
１０９５  係合構造
１０９７  ＵＳＢ(Universal Serial Bus)接続ポート
１１１１  起動ボタン
２０１    殺菌灯上蓋
２０３    殺菌灯下蓋
２０５    殺菌灯ライトボード
２０１１  シリコンクッション
２０３１  第二光透過孔 
【図１】
0003220780.tif 000003
【図２】
0003220780.tif 000004
【図３】
0003220780.tif 000005
【図４】
0003220780.tif 000006
【図５】
0003220780.tif 000007
【図６】
0003220780.tif 000008